(57)【特許請求の範囲】
【請求項１】
無線通信システムにおいて動作可能な装置であって、
ランダムアクセスプリアンブルを送信するための手段と、ここにおいて、前記ランダムアクセスプリアンブルは、ユーザ装置のリリースバージョン情報を備え、前記ランダムアクセスプリアンブルを送信するための前記手段は、ユーザ装置のリリースバージョンと関連付けられた１つ以上のランダムアクセスチャネル（ＲＡＣＨ）シーケンスを送信するための手段を備える、
ランダムアクセス応答のペイロード部を導き出すための手段と、ここにおいて、前記ランダムアクセス応答のペイロード部を導き出すための前記手段は、基地局から受信した、前記リリースバージョンに基づいたＲＡＣＨシーケンスを用いて、前記ランダムアクセス応答のペイロード部を導き出すための手段を備える、
コンテンション解決メッセージを受信するための手段と、
を備える、装置。
【請求項２】
前記ランダムアクセスプリアンブルを送信するための前記手段は、ユーザ装置の全能力を示すための手段を備える請求項１に記載の装置。
【請求項３】
前記ランダムアクセス応答のペイロード部を導き出すための前記手段は、前記ＲＡＣＨシーケンスのプリアンブルを用いて前記ランダムアクセス応答のペイロード部を導き出すための手段を備える請求項１に記載の装置。
【請求項４】
前記ランダムアクセス応答のペイロード部を導き出すための前記手段は、前記ＲＡＣＨシーケンスのプリアンブルを用いて、一時的な無線ネットワーク一時識別子（一時的ＲＮＴＩ）を復号するための手段を備える請求項１に記載の装置。
【請求項５】
前記ランダムアクセス応答のペイロード部を導き出すための前記手段は、ブラインド復号方式を用いるための手段を備える請求項1に記載の装置。
【請求項６】
コンテンション解決メッセージを受信するための前記手段は、データの送信のために用いられる周波数部分を復号するための手段を備える請求項１に記載の装置。
【請求項７】
一時的な無線ネットワーク一時識別子（一時的ＲＮＴＩ）を用いて前記コンテンション解決メッセージのペイロード部を復号するための手段をさらに備える請求項１に記載の装置。
【請求項８】
少なくともサブフレーム番号、システムフレーム番号、ユーザ装置識別、又は一時的な無線ネットワーク一時識別子（一時的ＲＮＴＩ）を用いて前記コンテンション解決メッセージのペイロード部を復号するための手段をさらに備える請求項１に記載の装置。
【請求項９】
ブラインド復号方式を用いて前記コンテンション解決メッセージのペイロード部を導き出すための手段をさらに備える請求項１に記載の装置。
【請求項１０】
送信エンティティによって前記ランダムアクセス応答のために用いられる変調及び符号化方式（ＭＳＣ）を導き出すための手段をさらに備える請求項１に記載の装置。
【請求項１１】
前記ＭＣＳを導き出すための前記手段は、少なくともサブフレーム番号、システムフレーム番号、ユーザ装置識別、又は一時的な無線ネットワーク一時識別子（一時的ＲＮＴＩ）を用いるための手段を備える請求項１０に記載の装置。
【請求項１２】
ランダムアクセス応答を受信するための手段をさらに備える請求項１に記載の装置。
【請求項１３】
ランダムアクセスチャネル（ＲＡＣＨ）シーケンスを導き出すための手段をさらに備える請求項１に記載の装置。
【請求項１４】
１つ以上のスケジューリングされた送信を送信するための手段をさらに備える請求項１に記載の装置。
【請求項１５】
無線通信システムにおいて動作可能な装置であって、
ランダムアクセスプリアンブルを受信するための手段と、ここにおいて、前記ランダムアクセスプリアンブルは、ユーザ装置のリリースバージョン情報を備える、
前記ランダムアクセスプリアンブルを送信しているユーザ装置のリリースバージョンを決定するための手段と、
ランダムアクセス応答を生成するために前記ランダムアクセスプリアンブルを送信しているユーザ装置のリリースバージョンに基づいてランダムアクセスチャネル（ＲＡＣＨ）シーケンスの組から１つ以上のＲＡＣＨシーケンスを選択するための手段と、
第１の方式を用いて前記ランダムアクセス応答を送信するための手段と、ここにおいて、前記ランダムアクセス応答を送信するための前記手段は、前記ランダムアクセス応答の一部として、前記ランダムアクセスプリアンブルを送信しているユーザ装置のリリースバージョンと関連付けられたＲＡＣＨシーケンスを含めるための手段を備える、
を備える、装置。
【請求項１６】
前記ランダムアクセスプリアンブルを送信しているユーザ装置の能力を決定するための手段をさらに備える請求項１５に記載の装置。
【請求項１７】
前記ランダムアクセス応答を送信するための前記手段は、前記ランダムアクセス応答が前記ランダムアクセスプリアンブルを送信しているユーザ装置の前記リリースバージョンと関連付けられた少なくとも１つのＲＡＣＨシーケンスを含むかどうかを示すための指示を送信するための手段を備える請求項１５に記載の装置。
【請求項１８】
前記第１の方式を用いるための前記手段は、前記指示を送信するためにシステム情報ブロック（ＳＩＢ）、スルー物理ブロードキャストチャネル（ＰＢＣＨ）、プライマリ同期信号（ＰＳＳ）、セカンダリ同期信号（ＳＳＳ）、プライマリ基準信号（ＰＲＳ）又は基準信号（ＲＳ）のうちの少なくとも１つを用いるための手段を備える請求項１７に記載の装置。
【請求項１９】
前記第１の方式を用いるための前記手段は、前記ＲＡＣＨシーケンスを送信するためにシステム情報ブロック（ＳＩＢ）、スルー物理ブロードキャストチャネル（ＰＢＣＨ）、プライマリ同期信号（ＰＳＳ）、セカンダリ同期信号（ＳＳＳ）、プライマリ基準信号（ＰＲＳ）又は基準信号（ＲＳ）のうちの少なくとも１つを用いるための手段を備える請求項１５に記載の装置。
【請求項２０】
１つ以上のスケジューリングされた送信を受信及び復号し、前記受信されたスケジューリングされた送信のうちの少なくとも１つの成功裏の復号後に受信されたあらゆるスケジューリングされた送信を無視するための手段をさらに備える請求項１５に記載の装置。
【請求項２１】
第２の方式を用いてコンテンション解決メッセージを送信するための手段をさらに備える請求項１５に記載の装置。
【請求項２２】
前記第２の方式を用いるための前記手段は、データを送信することに割り当てられた周波数部分を用いるための手段を備える請求項２１に記載の装置。
【請求項２３】
第２の方式を用いるための前記手段は、少なくともサブフレーム番号、システムフレーム番号、ユーザ装置識別、又は一時的な無線ネットワーク一時識別子（一時的ＲＮＴＩ）に前記周波数位置をリンクさせるための手段を備える請求項２１に記載の装置。
【請求項２４】
無線通信システムのための方法であって、
ランダムアクセスプリアンブルを送信することと、ここにおいて、前記ランダムアクセスプリアンブルは、ユーザ装置のリリースバージョン情報を備え、前記ランダムアクセスプリアンブルを送信することは、ユーザ装置のリリースバージョンと関連付けられた１つ以上のランダムアクセスチャネル（ＲＡＣＨ）シーケンスを送信することを備える、
ランダムアクセス応答のペイロード部を導き出すことと、ここにおいて、前記ランダムアクセス応答のペイロード部を導き出すことは、基地局から受信した、前記リリースバージョンに基づいたＲＡＣＨシーケンスを用いて前記ランダムアクセス応答のペイロード部を導き出すことを備える、
コンテンション解決メッセージを受信することと、
を備える、方法。
【請求項２５】
前記ランダムアクセスプリアンブルを送信することは、ユーザ装置の全能力を示すことを備える請求項２４に記載の方法。
【請求項２６】
前記ランダムアクセス応答のペイロード部を導き出すことは、前記ＲＡＣＨシーケンスのプリアンブルを用いて前記ランダムアクセス応答のペイロード部を導き出すことを備える請求項２４に記載の方法。
【請求項２７】
前記ランダムアクセス応答のペイロード部を導き出すことは、前記ＲＡＣＨシーケンスのプリアンブルを用いて一時的な無線ネットワーク一時識別子（一時的ＲＮＴＩ）を復号することを備える請求項２４に記載の方法。
【請求項２８】
前記ランダムアクセス応答のペイロード部を導き出すことは、ブラインド復号方式を用いることを備える請求項２４に記載の方法。
【請求項２９】
前記コンテンション解決メッセージを受信することは、データの送信のために用いられる周波数部分を復号することを備える請求項２４に記載の方法。
【請求項３０】
一時的な無線ネットワーク一時識別子（一時的ＲＮＴＩ）を用いて前記コンテンション解決メッセージのペイロード部を復号することをさらに備える請求項２４に記載の方法。
【請求項３１】
少なくともサブフレーム番号、システムフレーム番号、ユーザ装置識別、又は一時的な無線ネットワーク一時識別子（一時的ＲＮＴＩ）を用いて前記コンテンション解決メッセージのペイロード部を復号することをさらに備える請求項２４に記載の方法。
【請求項３２】
ブラインド復号方式を用いて前記コンテンション解決メッセージのペイロード部を導き出すことをさらに備える請求項２４に記載の方法。
【請求項３３】
送信エンティティによって前記ランダムアクセス応答のために用いられる変調及び符号化方式（ＭＳＣ）を導き出すことをさらに備える請求項２４に記載の方法。
【請求項３４】
前記ＭＣＳを導き出すことは、少なくともサブフレーム番号、システムフレーム番号、ユーザ装置識別、又は一時的な無線ネットワーク一時識別子（一時的ＲＮＴＩ）を用いることを備える請求項３３に記載の方法。
【請求項３５】
ランダムアクセス応答を受信することをさらに備える請求項２４に記載の方法。
【請求項３６】
ランダムアクセスチャネル（ＲＡＣＨ）シーケンスを導き出すことをさらに備える請求項２４に記載の方法。
【請求項３７】
１つ以上のスケジューリングされた送信を送信することをさらに備える請求項２４に記載の方法。
【請求項３８】
無線通信システムのための方法であって、
ランダムアクセスプリアンブルを受信することと、ここにおいて、前記ランダムアクセスプリアンブルは、ユーザ装置のリリースバージョン情報を備える、
前記ランダムアクセスプリアンブルを送信しているユーザ装置のリリースバージョンを決定することと、
ランダムアクセス応答を生成するために前記ランダムアクセスプリアンブルを送信しているユーザ装置の前記リリースバージョンに基づいてランダムアクセスチャネル（ＲＡＣＨ）シーケンスの組から１つ以上のＲＡＣＨシーケンスを選択することと、
第１の方式を用いて前記ランダムアクセス応答を送信することと、ここにおいて、前記ランダムアクセス応答を送信することは、前記ランダムアクセス応答の一部として、前記ランダムアクセスプリアンブルを送信しているユーザ装置の前記リリースバージョンと関連付けられた前記ＲＡＣＨシーケンスを含むことを備える、
を備える、方法。
【請求項３９】
前記ランダムアクセスプリアンブルを送信するユーザ装置の能力を決定することをさらに備える請求項３８に記載の方法。
【請求項４０】
前記ランダムアクセス応答を送信することは、前記ランダムアクセス応答が前記ランダムアクセスプリアンブルを送信しているユーザ装置の前記リリースバージョンと関連付けられた前記ＲＡＣＨシーケンスを含むかどうかを示すための指示を送信することを備える請求項３８に記載の方法。
【請求項４１】
前記第１の方式を用いることは、前記指示を送信するためにシステム情報ブロック（ＳＩＢ）、スルー物理ブロードキャストチャネル（ＰＢＣＨ）、プライマリ同期信号（ＰＳＳ）、セカンダリ同期信号（ＳＳＳ）、プライマリ基準信号（ＰＲＳ）又は基準信号（ＲＳ）のうちの少なくとも１つを用いることを備える請求項４０に記載の方法。
【請求項４２】
前記第１の方式を用いることは、前記ＲＡＣＨシーケンスを送信するためにシステム情報ブロック（ＳＩＢ）、スルー物理ブロードキャストチャネル（ＰＢＣＨ）、プライマリ同期信号（ＰＳＳ）、セカンダリ同期信号（ＳＳＳ）、プライマリ基準信号（ＰＲＳ）又は基準信号（ＲＳ）のうちの少なくとも１つを用いることを備える請求項３８に記載の方法。
【請求項４３】
１つ以上のスケジューリングされた送信を受信及び復号し、前記受信されたスケジューリングされた情報のうちの少なくとも１つの成功裏の復号後に受信されたあらゆるスケジューリングされた送信を無視することをさらに備える請求項３８に記載の方法。
【請求項４４】
第２の方式を用いてコンテンション解決メッセージを送信することをさらに備える請求項３８に記載の方法。
【請求項４５】
第２の方式を用いることは、データを送信することに割り当てられた周波数部分を用いることを備える請求項４４に記載の方法。
【請求項４６】
第２の方式を用いることは、少なくともサブフレーム番号、システムフレーム番号、ユーザ装置識別、又は一時的な無線ネットワーク一時識別子（一時的ＲＮＴＩ）に前記周波数位置をリンクさせることを備える請求項４４に記載の方法。
【請求項４７】
ランダムアクセスプリアンブルを送信するための符号と、ここにおいて、前記ランダムアクセスプリアンブルは、ユーザ装置のリリースバージョン情報を備え、前記ランダムアクセスプリアンブルを送信するための前記符号は、ユーザ装置のリリースバージョンと関連付けられた１つ以上のランダムアクセスチャネル（ＲＡＣＨ）シーケンスを送信するための符号を備える、
ランダムアクセス応答のペイロード部を導き出すための符号と、ここにおいて、前記ランダムアクセス応答のペイロード部を導き出すための前記符号は、基地局から受信した、前記リリースバージョンに基づいたＲＡＣＨシーケンスを用いて、前記ランダムアクセス応答のペイロード部を導き出すための符号を備える、
コンテンション解決メッセージを受信するための符号と、
を備えるコンピュータによって読み取り可能な記憶媒体。
【請求項４８】
ランダムアクセスプリアンブルを受信するための符号と、ここにおいて、前記ランダムアクセスプリアンブルは、ユーザ装置のリリースバージョン情報を備える、
前記ランダムアクセスプリアンブルを送信しているユーザ装置のリリースバージョンを決定するための符号と、
ランダムアクセス応答を生成するために前記ランダムアクセスプリアンブルを送信しているユーザ装置の前記リリースバージョンに基づいてランダムアクセスチャネル（ＲＡＣＨ）シーケンスの組から１つ以上のＲＡＣＨシーケンスを選択するための符号と、
第１の方式を用いて前記ランダムアクセス応答を送信するための符号と、ここにおいて、前記ランダムアクセス応答を送信するための前記符号は、前記ランダムアクセス応答の一部として、前記ランダムアクセスプリアンブルを送信しているユーザ装置のリリースバージョンと関連付けられたＲＡＣＨシーケンスを含めるための符号を備える、
を備えるコンピュータによって読み取り可能な記憶媒体。
【請求項４９】
ランダムアクセスプリアンブルを送信し、ここにおいて、前記ランダムアクセスプリアンブルは、ユーザ装置のリリースバージョン情報を備え、前記ランダムアクセスプリアンブルを送信することは、ユーザ装置のリリースバージョンと関連付けられた１つ以上のランダムアクセスチャネル（ＲＡＣＨ）シーケンスを送信することを備える、
ランダムアクセス応答のペイロード部を導き出し、ここにおいて、前記ランダムアクセス応答のペイロード部を導き出すことは、基地局から受信した、前記リリースバージョンに基づいたＲＡＣＨシーケンスを用いて前記ランダムアクセス応答のペイロード部を導き出すことを備える、及び
コンテンション解決メッセージを受信するように構成されたプロセッサ、を備える、無線通信装置。
【請求項５０】
ランダムアクセスプリアンブルを受信し、ここにおいて、前記ランダムアクセスプリアンブルは、ユーザ装置のリリースバージョン情報を備える、
前記ランダムアクセスプリアンブルを送信しているユーザ装置のリリースバージョンを決定し、
ランダムアクセス応答を生成するために前記ランダムアクセスプリアンブルを送信しているユーザ装置の前記リリースバージョンに基づいてランダムアクセスチャネル（ＲＡＣＨ）シーケンスの組から１つ以上のＲＡＣＨシーケンスを選択し、及び
第１の方式を用いて前記ランダムアクセス応答を送信する、ここにおいて、前記ランダムアクセス応答を送信することは、前記ランダムアクセス応答の一部として、前記ランダムアクセスプリアンブルを送信しているユーザ装置の前記リリースバージョンと関連付けられた前記ＲＡＣＨシーケンスを含むことを備える、
ように構成されたプロセッサ、を備える、無線通信装置。
【発明の詳細な説明】
【技術分野】
【０００１】
［相互参照］
本出願は、“IMPROVED ACCESS PROCEDURE”（改良されたアクセス手順）という題名を有し、これの譲受人に対して譲渡され、それの全体が引用によってここに組み入れられている米国仮特許出願一連番号第６１／１８７，５９５号（出願日：２００９年６月１６日）の利益を主張するものである。
【０００２】
I.分野
本開示は、無線通信システムに関するものである。本開示は、より具体的には、基地局と通信するユーザ装置の現在及び将来のバージョンのための改良されたランダムアクセス手順に関するものである。
【背景技術】
【０００３】
様々な通信コンテンツ、例えば、音声、映像、パケットデータ、メッセージング、ブロードキャスト、等、を提供することを目的として無線通信システムが広範囲にわたって配備されている。これらの無線システムは、利用可能なシステムリソースを共有することによって複数のユーザをサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交ＦＤＭＡ（ＯＦＤＭＡ）システムと、単一搬送波ＦＤＭＡ（ＳＣ−ＦＤＭＡ）システムと、を含む。
【０００４】
概して、無線多元接続通信システムは、複数の無線端末のための通信を同時平行してサポートすることができる。各端末は、順方向リンク及び逆方向リンクにおける送信を介して１つ以上の基地局と通信する。順方向リンク（又はダウンリンク）は、基地局から端末への通信リンクを意味し、逆方向リンク（又はアップリンク）は、端末から基地局への通信リンクを意味する。この通信リンクは、単入力単出力、多入力信号出力又は多入力多出力（ＭＩＭＯ）システムを介して確立することができる。
【０００５】
無線システム基地局は、幾つかのユーザ装置（ＵＥ）と通信することができる。各ＵＥは、異なるリリースバージョン(release version)（例えば、Ｒｅｌ−８、Ｒｅｌ−９、Ｒｅｌ−１０、又はそれ以降）及び能力（例えば、ＭＩＭＯ又はＳＩＭＯ）を備えることができる。各リリースバージョンは、典型的には、一組の要求を備える特定の仕様と関連付けられる。ＵＥは、Ｒｅｌ−８、Ｒｅｌ−９、Ｒｅｌ−１０又はあらゆる適切な将来のリリースのユーザ装置として識別することができる。各リリースは、前バージョンよりも多くの能力を概して有する。従って、より新しいリリースのＵＥは、より古い対応物よりも多くの能力を有する。ユーザ装置の現在及び将来のリリースバージョンのための拡張されたアクセス手順を提供することが望ましいであろう。
【発明の概要】
【０００６】
以下は、開示される態様のうちの一部の態様についての基本的な理解を提供することを目的として簡略化された概要を示すものである。この概要は、広範囲にわたって概説したものではなく、及び該態様の重要な又は極めて重要な要素を特定しないこと及び適用範囲を詳細に説明しないことが意図される。それの唯一の目的は、以後において提示されるより詳細な発明を実施するための形態の準備段階として説明される特徴の幾つかの概念を単純な形で提示することである。
【０００７】
１つ以上の態様及びそれらの対応する開示により、様々な態様が無線通信システムのためのアクセスシーケンスを提供することと関係させて説明される。
【０００８】
一態様においては、ランダムアクセスプリアンブル(random access preamble)を送信し、ランダムアクセス応答(random access response)のペイロード部(payload portion)を導き出し、及びコンテンション解決メッセージ(contention resolution message)を受信するために装置が提供され、ランダムアクセスプリアンブルは、ユーザ装置のリリースバージョン情報を備える。
【０００９】
他の態様においては、ランダムアクセスプリアンブルを送信し、ランダムアクセス応答のペイロード部を導き出し、及びコンテンション解決メッセージを受信するために少なくとも１つのプロセッサが提供され、ランダムアクセスプリアンブルは、ユーザ装置のリリースバージョン情報を備える。
【００１０】
追加の態様においては、ランダムアクセスプリアンブルを送信し、ランダムアクセス応答のペイロード部を導き出し、及びコンテンション解決メッセージを受信するためにコンピュータプログラム製品が提供され、ランダムアクセスプリアンブルは、ユーザ装置のリリースバージョン情報を備える。
【００１１】
他の態様においては、ランダムアクセスプリアンブルを送信し、ランダムアクセス応答のペイロード部を導き出し、及びコンテンション解決メッセージを受信するために方法が提供され、ランダムアクセスプリアンブルは、ユーザ装置のリリースバージョン情報を備える。
【００１２】
一態様においては、ランダムアクセスプリアンブルを受信し、ランダムアクセスプリアンブルを送信しているユーザ装置のリリースバージョンを決定し、ランダムアクセス応答を生成するためにランダムアクセスプリアンブルを送信しているユーザ装置のリリースバージョンに基づいてランダムアクセスチャネル（random access channel:ＲＡＣＨ）シーケンスの組から１つ以上のＲＡＣＨシーケンスを選択し、及び第１の方式を用いてランダムアクセス応答を送信するために装置が提供される。
【００１３】
他の態様においては、ランダムアクセスプリアンブルを受信し、ランダムアクセスプリアンブルを送信しているユーザ装置のリリースバージョンを決定し、ランダムアクセス応答を生成するためにランダムアクセスプリアンブルを送信しているユーザ装置のリリースバージョンに基づいてランダムアクセスチャネル（ＲＡＣＨ）シーケンスの組から１つ以上のＲＡＣＨシーケンスを選択し、及び第１の方式を用いてランダムアクセス応答を送信するために少なくとも１つのプロセッサが提供される。
【００１４】
追加の態様においては、ランダムアクセスプリアンブルを受信し、ランダムアクセスプリアンブルを送信しているユーザ装置のリリースバージョンを決定し、ランダムアクセス応答を生成するためにランダムアクセスプリアンブルを送信しているユーザ装置のリリースバージョンに基づいてランダムアクセスチャネル（ＲＡＣＨ）シーケンスの組から１つ以上のＲＡＣＨシーケンスを選択し、及び第１の方式を用いてランダムアクセス応答を送信するためにコンピュータプログラム製品が提供される。
【００１５】
他の態様においては、ランダムアクセスプリアンブルを受信し、ランダムアクセスプリアンブルを送信しているユーザ装置のリリースバージョンを決定し、ランダムアクセス応答を生成するためにランダムアクセスプリアンブルを送信しているユーザ装置のリリースバージョンに基づいてランダムアクセスチャネル（ＲＡＣＨ）シーケンスの組から１つ以上のＲＡＣＨシーケンスを選択し、及び第１の方式を用いてランダムアクセス応答を送信するために方法が提供される。
【００１６】
上記及び関連する目的の完遂を目的として、１つ以上の態様は、以降において十分に説明され、請求項において特に強調される特徴を備える。以下の説明及び添付図は、幾つかの例示的な態様について詳細に説明するものであり、これらの態様の原理を採用することができる様々な方法のうちのほんのわずかを示すにすぎない。以下の詳細な発明を実施するための形態を図面と関係させて検討することでその他の利点及び新規の特徴が明らかになり、開示される態様は、すべての該態様及びそれらの同等物を含むことが意図される。
【図面の簡単な説明】
【００１７】
本開示の特徴、性質、及び利点は、以下に記述される詳細な発明を実施するための形態を、同様の参照文字が全体にわたって対応して同様のものを識別する図面と関係させて解釈することで、より明確になるであろう。
【図１】一実施形態による多元接続無線通信システムを例示した図である。
【図２】通信システムのブロック図を例示した図である。
【図３】無線通信環境においてランダムアクセス手順と関係させてメッセージをやり取りするシステム例を示した図である。
【図４】拡張されたアクセスを用いるために基地局を手助けする方法例を示した図である。
【図５】拡張されたアクセスを用いるためにユーザ装置を手助けする方法例を示した図である。
【図６】ＵＥの異なるリリースが無線通信環境においてランダムアクセスプリアンブル（メッセージ１）を配送するためにランダムアクセスチャネル（ＲＡＣＨ）シーケンスの異なる部分組を用いるのを可能にすることを容易にする方法例を示した図である。
【図７】無線通信環境において基地局にＵＥ能力情報を配送することを容易にする方法例を示した図である。
【図８】無線通信環境においてランダムアクセス応答（メッセージ２）を用いずにＵＥに一時的な無線ネットワーク一時識別子（ＲＮＴＩ:radio network temporary identifier）及び／又は許可を配送することを容易にする方法例を示した図である。
【図９】無線通信環境において制御チャネルを復号することなしにランダムアクセス応答（メッセージ２）を搬送したデータチャネルを復号することを容易にする方法例を示した図である。
【図１０】無線通信環境においてダウンリンク確認応答チャネルを復号することなしにスケジューリングされた送信（メッセージ３）を送信することを容易にする方法例を示した図である。
【図１１】無線通信環境において制御チャネルを復号することなしにコンテンション解決メッセージ（メッセージ４）を復号することを容易にする方法例を示した図である。
【発明を実施するための形態】
【００１８】
[詳細な説明]
今度は図を参照して様々な態様が説明される。以下の記述においては、説明の目的上、１つ以上の態様の徹底的な理解を提供することを目的として数多くの具体的な詳細が示される。しかしながら、それらの様々な態様は、これらの具体的な詳細なしに実践可能であることが明らかであろう。その他の例においては、非常によく知られる構造及びデバイスは、これらの態様について説明することを容易にするためにブロック図形で示される。
【００１９】
この出願で用いられる場合において、用語“コンポーネント”、“モジュール”、“システム”、等は、ハードウェア、ハードウェアとソフトウェアの組み合わせ、ソフトウェア、又は実行中のソフトウェアのいずれであるかにかかわらず、コンピュータに関連するエンティティを意味することが意図される。例えば、コンポーネントは、プロセッサ上で実行中のプロセス、プロセッサ、オブジェクト、エクセキュータブル（executable）、実行スレッド(thread of execution)、プログラム、及び／又はコンピュータであることができ、ただし、プロセッサ上で実行中のプロセス、プロセッサ、オブジェクト、エクセキュータブル、実行スレッド、プログラム、及び／又はコンピュータであることに限定されない。一例として、サーバで実行中のアプリケーション及びそのサーバの両方がコンポーネントであることができる。プロセス及び／又は実行スレッド内には１つ以上のコンポーネントが常駐することができ、コンポーネントは、１つのコンピュータ上に局在化する及び／又は２つ以上のコンピュータ間で分散させることができる。さらに、これらのコンポーネントは、様々なデータ構造が格納されている様々なコンピュータによって読み取り可能な媒体から実行可能である。コンポーネントは、ローカル及び／又は遠隔プロセスによって、例えば１つ以上のデータパケット（例えば、ローカルシステム又は分散型システム内の他のコンポーネントと対話中の、及び／又はインターネット、等のネットワークを通じて信号を用いてその他のシステムと対話中の、１つのコンポーネント、からのデータ）を有する信号に従って、通信することができる。
【００２０】
さらに、様々な態様がモバイルデバイスと関係させてここにおいて説明される。モバイルデバイスは、システム、加入者ユニット、加入者局、移動局、モバイル、無線端末、ノード、デバイス、遠隔局、遠隔端末、アクセス端末、ユーザ端末、端末、無線通信デバイス、無線通信装置、ユーザエージェント、ユーザデバイス、又はユーザ装置（ＵＥ）、等と呼ぶことも可能であり、及び、システム、加入者ユニット、加入者局、移動局、モバイル、無線端末、ノード、デバイス、遠隔局、遠隔端末、アクセス端末、ユーザ端末、端末、無線通信デバイス、無線通信装置、ユーザエージェント、ユーザデバイス、又はユーザ装置（ＵＥ）等の機能の一部又は全部を含むことができる。モバイルデバイスは、携帯電話、コードレスフォン、セッション開始プロトコル（ＳＩＰ）フォン、スマートフォン、ワイヤレスローカルループ（ＷＬＬ）局、パーソナルデジタルアシスタント（ＰＤＡ）、ラップトップ、ハンドヘルド通信デバイス、ハンドヘルド計算デバイス、衛星無線、無線モデムカード及び／又は無線システムを通じて通信するための他の処理デバイスであることができる。さらに、様々な態様が基地局と関係させてここにおいて説明される。基地局は、無線端末と通信するために利用することができ、及び、アクセスポイント、ノード、ノードＢ、ｅ−ＮｏｄｅＢ、ｅ−ＮＢ、又は何らかのその他のネットワークエンティティと呼ぶことも可能であり、及び、アクセスポイント、ノード、ノードＢ、ｅ−ＮｏｄｅＢ、ｅ−ＮＢ、又は何らかのその他のネットワークエンティティの機能の一部又は全部を含むことができる。
【００２１】
様々な態様又は特徴は、幾つかのデバイス、コンポーネント、モジュール、等を含むことができるシステムに関して提示される。これらの様々なシステムは、追加のデバイス、コンポーネント、モジュール、等を含むことができ、及び／又は図と関係させて説明されるデバイス、コンポーネント、モジュール、等をすべては含まなくてもよいことが理解及び評価されるべきである。これらの手法の組み合わせも使用可能である。
【００２２】
語句“典型的な”は、１つの例、事例、又は実例を提供することを意味するためにここにおいて用いられる。ここにおいて“典型的な”として説明されるいずれの態様又は設計も、その他の態様又は設計よりも好ましい又は有利であるとは必ずしも解釈されるべきではない。
【００２３】
さらに、１つ以上のバージョンは、開示される態様を実装するためにコンピュータを制御するためのソフトウェア、ファームウェア、ハードウェア、又はそれらのあらゆる組み合わせを作り出すための標準的なプログラミング及び／又はエンジニアリング技法を用いて方法、装置、又は製造品として実装することができる。ここにおいて用いられる場合における用語“製造品”（又は、代替として、“コンピュータプログラム製品”）は、あらゆるコンピュータによって読み取り可能なデバイス、キャリア、又は媒体からアクセス可能なコンピュータプログラムを包含することが意図される。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、カード、スティック）と、を含むことができ、ただし、磁気記憶装置（例えば、ハードディスク、フロッピーディスク、磁気ストリップ）、光学ディスク（例えば、コンパクトディスク（ＣＤ）、デジタルバーサタイルディスク（ＤＶＤ））、スマートカード、及びフラッシュメモリデバイス（例えば、カード、スティック）に限定されない。さらに、コンピュータによって読み取り可能な電子データ、例えば、電子メールを送信及び受信する際に又はネットワーク、例えばインターネット又はローカルエリアネットワーク（ＬＡＮ）、にアクセスする際に用いられるそれら、を搬送するために搬送波を採用可能であることが評価されるべきである。当然のことであるが、当業者は、開示される態様の適用範囲から逸脱することなしにこのコンフィギュレーションに対して数多くの変更を行うことができることを認識するであろう。
【００２４】
図２は、ＭＩＭＯシステム２００における送信機システム２１０（アクセスポイント、基地局、及びｅＮｏｄｅＢとも呼ばれる）及び受信機システム２５０（アクセス端末及びユーザ装置とも呼ばれる）の実施形態のブロック図である。送信機システム２１０では、幾つかのデータストリームのためのトラフィックデータがデータソース２１２から送信（ＴＸ）データプロセッサ２１４に提供される。
【００２５】
一実施形態においては、各データストリームは、各々の送信アンテナを通じて送信される。ＴＸデータプロセッサ２１４は、符号化されたデータを提供するために各データストリームのために選択された特定の符号化方式に基づいてそのデータストリームのためにトラフィックデータをフォーマット化、符号化、及びインターリービングする。
【００２６】
各データストリームのための符号化されたデータは、ＯＦＤＭ技法を用いてパイロットデータと多重化することができる。パイロットデータは、典型的には、既知の方法で処理される既知のデータパターンであり、チャネル応答を推定するために受信機システムにおいて用いることができる。次に、各データストリームのための多重化されたパイロット及び符号化されたデータは、変調シンボルを提供するためにそのデータストリームのために選択された特定の変調方式（例えば、ＢＰＳＫ、ＱＳＰＫ、Ｍ−ＰＳＫ、又はＭ−ＱＡＭ）に基づいて変調（すなわち、シンボルマッピング）される。各データストリームのためのデータレート、符号化、及び変調は、プロセッサ２３０によって実行される命令によって決定することができる。
【００２７】
次に、全データストリームに関する変調シンボルがＴＸ  ＭＩＭＯプロセッサ２２０に提供され、それは、（例えばＯＦＤＭに関して）変調シンボルをさらに処理することができる。ＴＸ  ＭＩＭＯプロセッサ２２０は、ＮＴの変調シンボルストリームをＮＴの送信機（ＴＭＴＲ）２２２ａ乃至２２２ｔに提供する。幾つかの実施形態においては、ＴＸ  ＭＩＭＯプロセッサ２２０は、データストリームのシンボル及びシンボルを送信中であるアンテナにビーム形成重みを加える。
【００２８】
各送信機２２２は、各々のシンボルストリームを受信及び処理して１つ以上のアナログ信号を提供し、これらのアナログ信号をさらにコンディショニング（例えば、増幅、フィルタリング、及びアップコンバージョン）してＭＩＭＯチャネルでの送信に適した変調された信号を提供する。次に、送信機２２２ａ乃至２２２ｔからのＮＴの変調された信号が、ＮＴ本のアンテナ２２４ａ乃至２２４ｔからそれぞれ送信される。
【００２９】
受信機システム２５０において、送信された変調された信号は、ＮＲ本のアンテナ２５２ａ乃至２５２ｒによって受信され、各アンテナ２５２からの受信された信号は、各々の受信機（ＲＣＶＲ）２５４ａ乃至２５４ｒに提供される。各受信機２５４は、各々の受信された信号をコンディショニング（例えば、フィルタリング、増幅、及びダウンコンバージョン）し、コンディショニングされた信号をデジタル化してサンプルを提供し、これらのサンプルをさらに処理して対応する“受信された”シンボルストリームを提供する。
【００３０】
ＲＸデータプロセッサ２６０は、ＮＲの受信機２５４からのＮＲの受信されたシンボルストリームを受信して特定の受信機処理技法に基づいて処理し、ＮＴの“検出された”シンボルストリームを提供する。ＲＸデータプロセッサ２６０は、各々の検出されたシンボルストリームを復調、デインターリービング、及び復号し、データストリームのためのトラフィックデータを復元する。ＲＸデータプロセッサ２６０による処理は、送信機システム２１０におけるＴＸ  ＭＩＭＯプロセッサ２２０及びＴＸデータプロセッサ２１４によって行われるそれを補完するものである。
【００３１】
プロセッサ２７０は、（以下において説明されるように）いずれのプリコーディング行列を使用すべきかを周期的に決定する。プロセッサ２７０は、行列インデックス部分とランク値部分とを備える逆方向リンクメッセージを生成する。
【００３２】
逆方向リンクメッセージは、通信リンク及び／又は受信されたデータストリームに関する様々なタイプの情報を備えることができる。逆方向リンクメッセージは、データソース２３６から幾つかのデータストリームのためのトラフィックデータも受信するＴＸデータプロセッサ２３８によって処理され、変調器２８０によって変調され、送信機２５４ａ乃至２５４ｒによってコンディショニングされ、送信機システム２１０に返信される。
【００３３】
送信機システム２１０において、受信機システム２５０からの変調された信号は、アンテナ２２４によって受信され、受信機２２２によってコンディショニングされ、復調器２４０によって復調され、ＲＸデータプロセッサ２４２によって処理されて受信機システム２５０によって送信された逆方向リンクメッセージが抽出される。次に、プロセッサ２３０は、ビーム形成重みを決定するためにいずれのプリコーディング行列を用いるかを決定し、抽出されたメッセージを処理する。
【００３４】
図３Ａは、対称的な構成を有する多搬送波システム３００を例示し、それは、ダウンリンク搬送波（ＤＬ  ＣＬ１及びＤＬ  ＣＬ２）３０６及び３１０と、アップリンク搬送波（ＵＬ  ＣＬ１及びＵＬ  ＣＬ２）３０８及び３１２と、を含む。これらの搬送波は、基地局３０２とアクセス端末３０４との間で情報をやり取りするために用いられる。基地局３０２及びアクセス端末３０４は、図１に示される基地局１００及びアクセス端末１１６に対応する。システムは、ダウンリンク搬送波３０６及び３１０の数がアップリンク搬送波３０８及び３１２の数に等しく、及び、ダウンリンク搬送波３０６はアップリンク搬送波３０８と対であり、ダウンリンク搬送波３１０はアップリンク搬送波３１２と対であるという点で対称的である。２つのダウンリンク搬送波及び２つのアップリンク搬送波のみが示されるが、システム３００は、あらゆる適切な数のダウンリンク搬送波及びアップリンク搬送波を含むように構成することができる。
【００３５】
図３は、無線通信環境において動作する基地局３０２とユーザ装置３０４との間でランダムアクセス手順と関係させてメッセージをやり取りするシステム例３００を示す。基地局３０２及びユーザ装置３０４は、図１に示される基地局１００及びアクセス端末１１６に対応する。基地局３０２は、情報、信号、データ、命令、コマンド、ビット、シンボル、等を送信及び／又は受信することができる。基地局３０２は、順方向リンク及び／又は逆方向リンクを介してユーザ装置（ＵＥ）３０４と通信することができる。ＵＥ３０４は、情報、信号、データ、命令、コマンド、ビット、シンボル、等を送信及び／又は受信することができる。さらに、示されていないが、システム３００には基地局３０２に類似するあらゆる適切な数の基地局を含めることができ及び／又はシステム３００にはＵＥ３０４に類似するあらゆる数のＵＥを含めることができることが企図される。
【００３６】
ＵＥ３０４は、プリアンブル生成コンポーネント３０６と、アイデンティティ搬送コンポーネント(identity conveyance component)３０８と、をさらに含むことができ、基地局３０２は、応答生成コンポーネント３１０と、コンテンション解決コンポーネント３１２と、をさらに含むことができる。ＵＥ３０４及び基地局３０２は、ＵＥ３０４がシステムに入る前にランダムアクセス手順の一部としてメッセージをやり取りすることができる。例えば、ロングタームエボリューション（Long Term Evolution）（ＬＴＥ）リリース８（Ｒｅｌ−８）においては、ＵＥ３０４及び基地局３０２は、４つのメッセージをやり取りすることができる。しかしながら、請求される主題は、ここにおいて説明されるようには限定されない。メッセージ１は、ＵＥ３０４によって基地局３０２に送信されたプリアンブル生成コンポーネント３０６によって生成されたランダムアクセスプリアンブルであることができる。一例として、ランダムアクセスプリアンブルは、物理ランダムアクセスチャネル（ＰＲＡＣＨ;Physical Random Access Channel）を介して送信することができる。ＵＥは、応答生成コンポーネント３１０によって生成されたランダムアクセス応答であることができるメッセージ２の有無をモニタリングする。ランダムアクセス応答は、基地局３０２によってＵＥ３０４に送信することができる。従来は、ランダムアクセス応答は、タイミング整合情報、初期アップリンク許可、一時的な無線ネットワーク一時識別子（ＲＮＴＩ）の割り当て、等を提供することができる。メッセージ３は、アイデンティティ搬送コンポーネント３０８によって生成されたスケジューリングされた送信であることができ、スケジューリングされた送信は、ＵＥ３０４と関連付けられたアイデンティティを基地局３０２に搬送することができる。従来は、アイデンティティは、ＭＡＣＩＤ（例えば、ＵＥの識別番号）である。しかしながら、ＭＡＣＩＤが存在しない場合は、ランダムｉｄ（例えば、４８ビット）がＵＥ３０４に搬送される。さらに、メッセージ４は、基地局３０２によってＵＥ３０４に送信されたコンテンション解決コンポーネント３１２によって生成されたコンテンション解決メッセージであることができる。メッセージ４は、
ペイロードの一部として、メッセージ４が自己を対象としているとＵＥ３０４が決定できるようにＵＥ３０４の識別を提供する。
【００３７】
ランダムアクセス手順のために利用される伝統的な手法は、結果的に幾つかの欠陥が生じる可能性がある。従来は、応答生成コンポーネント３１０によって生成されたランダムアクセス応答（メッセージ２）及びコンテンション解決コンポーネント３１２によって生成されたコンテンション解決メッセージ（メッセージ４）は、ダウンリンクデータチャネル（例えば、ダウンリンク共有チャネル（ＤＬ−ＳＣＨ）、等）を介して転送することができる。ＵＥ３０４がランダムアクセス応答及び／又はコンテンション解決メッセージを搬送するダウンリンクデータチャネルを復号するのを可能にするために、典型的には、ＵＥ３０４は、ダウンリンク制御チャネル（例えば、物理制御フォーマットインジケータチャネル（ＰＣＦＩＣＨ）及び物理ダウンリンク制御チャネル（ＰＤＣＣＨ）、等）を復号する必要がある。さらに、電力クラスが異なる基地局が共存する（例えば、基地局３０２及び異なる基地局（示されていない）を含む基地局の組は、マクロセル基地局と、ミクロセル基地局と、フェムトセル基地局と、ピコセル基地局と、等を含むことができる）又は制限された関連付けが存在するときには、ＵＥ３０４は、ダウンリンクにおいて強力な干渉を経験するか又はその他の基地局に対して強力な干渉を引き起こす可能性がある。さらに、ランダムアクセスプリアンブル（メッセージ１）及びランダムアクセス応答（メッセージ２）によって従来は搬送される情報、より具体的にはメッセージ２のためのペイロード、は、物理ランダムアクセスチャネル（ＰＲＡＣＨ）プリアンブル又はメッセージ２メディアアクセス制御（ＭＡＣ）ペイロードを用いるのではなく暗黙に配送することができる。さらに、スケジューリングされた送信（メッセージ３）は、ＵＥ３０４が基地局３０２での成功裏の受信を確認するために物理ハイブリッド自動再送要求（ＨＡＲＱ）確認応答／否定応答（ＡＣＫ／ＮＡＫ）インジケータチャネル（ＰＨＩＣＨ）を復号するように一般的に要求する。さらに、コンテンション解決メッセージ（メッセージ４）は、ＵＥ３０４が該コンテンション解決メッセージを搬送するデータチャネルを復号する前に制御チャネルを復号するように典型的に要求する。従って、ここにおいて説明されるシステム３００は、従来の技法に関係して共通して遭遇する上記の欠陥のうちの１つ以上を軽減しつつＵＥ３０４がシステムにアクセスするための単純でロバスト（robust）なアクセス手順を利用することができる。
【００３８】
一例により、システム３００は、ＵＥの異なるリリース（例えば、ＵＥ３０４、異種ＵＥ（示されていない）、等）がメッセージ１を配送するためにランダムアクセスチャネル（ＲＡＣＨ）シーケンスの異なる組を用いるのを可能にすることができる。従って、ＵＥ３０４がＲｅｌ−８ＵＥ又はリリース９（Ｒｅｌ−９）、リリース１０（Ｒｅｌ−１０）、又はそれ以降のＵＥであるかに依存して、プリアンブル生成コンポーネント３０６は、ＲＡＣＨシーケンスの異なる部分組を採用することができる。Ｒｅｌ−９ＵＥ又はそれ以降に関しては、基地局３０２は、拡張された手順を適用することができ、他方、Ｒｅｌ−８ＵＥに関しては、基地局は、従来のＲＡＣＨ手順を適用することができる。拡張手順は、基地局が複数のＲＡＣＨシーケンス（例えば、例６４）を予約してＲｅｌ−９又はそれ以降のみがそれらのシーケンスを用いることができるようにすることを規定する。基地局は、メッセージ１を復号後、ＵＥの能力及びＵＥのバージョン（例えば、Ｒｅｌ−８、Ｒｅｌ−９、Ｒｅｌ−１０又はそれ以降）を決定することができる。ＵＥの能力及びバージョンを決定後は、基地局は、ＵＥのバージョン又は能力に合致するＲＡＣＨシーケンスを複数のＲＡＣＨシーケンスから選択することができる。基地局は、システム情報ブロックを通じてＲＡＣＨシーケンス及びその使用法を搬送することができる。基地局は、ＰＢＣＨペイロード又はスルー物理信号（through physical signal）、例えばＰＳＳ／ＳＳＳ／ＰＲＳ／ＲＳを用いることができる。
【００３９】
さらに、例えば、システム３００は、ＵＥの異なるリリースのために利用されるＲＡＣＨシーケンスの部分組に関する情報をＵＥの異なるリリース（例えば、ＵＥ３０４を含む）に配送するのをサポートすることができる。基地局３０４は、Ｒｅｌ−９又はそれ以降のＵＥのために予約されたＲＡＣＨシーケンスの組が存在するかどうかを示す指示（例えば、フラグ）をシグナリングすることができる。該フラグは、ＳＩＢ、ＰＢＣＨ、ＰＳＳ、ＳＳＳ、ＰＲＳ、ＲＳ又はいずれかの組み合わせ信号又はチャネルを用いてＵＥ３０４に送信することができる。ＵＥ３０４は、それがＲｅｌ−８ＲＡＣＨ手順を依然として用いることを示すことによってＲＡＣＨシーケンスを使用しないことを選択することができる。この決定は、ＵＥの干渉管理システムによって及び基地局と比較した場合のＵＥの位置及び観測された干渉の量に基づいて行われる。
【００４０】
他の例として、システム３００は、基地局３０２が応答生成コンポーネント３０２によって生成されたランダムアクセス応答（メッセージ２）を用いずにＵＥ３０４に対して一時的ＲＮＴＩ値を配送することができる。とりわけ、メッセージ２のペイロードは、メッセージ３のために用いられる一時的ＲＮＴＩ値とアップリンク許可（ｇｒａｎｔ）とを備える。基地局３０２がメッセージ１を検出した時点で、基地局３０２は、メッセージ２を通じてＵＥに一時的ＲＮＴＩ値及びアップリンク許可を送信しないことを選択することができる。代わりに、基地局は、ＲＡＣＨシーケンスを用いて一時的ＲＮＴＩ値及び／又はアップリンク許可を提供することができる。ＵＥ３０４は、ＲＡＣＨシーケンス、ランダムアクセス−ＲＮＴＩ、セルＩＤ、サブフレーム番号、システムフレーム番号及びＴｘアンテナ情報のうちの１つ以上のプリアンブル又はＵＥがダウンリンクチャネルを通じて取得しているあらゆるその他の情報を用いてメッセージ２ペイロード情報を導き出すことができる。この情報は、ＳＩＢ、ＰＢＣＨ、ＰＳＳ、ＳＳＳ、ＰＲＳ、ＲＳ又はいずれかの組み合わせ信号又はチャネルを用いるＵＥによって既に知られている。メッセージ２が送信されても、（ＵＥ）は、メッセージ２を復号しない。従って、ＵＥは、メッセージ２を送信するために用いられる制御チャネル上に強力な干渉が存在するときでもこの情報を依然として入手することができる。
【００４１】
他の例により、基地局３０２は、応答生成コンポーネント３１０によって生成されたランダムアクセス応答をＵＥ３０４に送信することができる。ＵＥ３０４は、ペイロード情報（例えば、一時的ＲＮＴＩ及びアップリンク許可）を取り出すために制御チャネルを復号することなしにランダムアクセス応答を搬送するデータチャネルを復号することができる。ＵＥは、制御チャネルを復号することなしにそれらのマッピング関数を通じて物理ダウンリンク共有チャネル（ＰＤＳＣＨ）を復号するために要求されるリソース／ＭＣＳ又はその他の情報を導き出す。リソースマッピングが一意でない場合は、ＵＥ３０４は、メッセージ２を搬送するＰＤＳＣＨのすべての可能な位置に関してブラインド復号（blind decoding）を行うことができる。
【００４２】
さらなる例により、ＵＥ３０４は、ダウンリンク確認応答チャネル（例えば、ＰＨＩＣＨ、等）を復号することなしにアイデンティティ搬送コンポーネント３０８によって生成されたスケジューリングされた送信（メッセージ３）を基地局３０２に送信することができる。ＵＥ３０４は、ダウンリンクにおいてＰＨＩＣＨを復号することなしにメッセージ３を送信するときには固定された量の送信又は再送信を基地局３０２に送信することができる。基地局３０２への再送信回数は、予め選択すること又は動的に変更することができる。
【００４３】
他の例により、コンテンション解決コンポーネント３１２によって生成されたコンテンション解決メッセージ（メッセージ４）は、基地局３０２によってＵＥ３０４に送信することができ、ＵＥ３０４は、制御チャネルを復号することなしにコンテンション解決メッセージを搬送するデータチャネルを復号することができる。コンテンション解決メッセージを含むデータチャネルの位置は、メッセージ３を処理後に一時的ＲＮＴＩ、サブフレーム番号、システムフレーム番号及び／又はＵＥＩＤ又はＵＥ及び基地局に知られているその他の情報にリンクさせることができる。ＵＥ３０４は、異なる位置及び／又は異なるＭＣＳをブラインド復号することも可能である。
【００４４】
図４乃至１１を参照し、上例で説明される無線通信環境において用いられるランダムアクセス手順の拡張に関する方法が例示される。説明の単純化を目的として、それらの方法は、一連の行為として示されて説明される一方で、幾つかの行為は、１つ以上の実施形態により、ここにおいて示されて説明される順序と異なる順序で及び／又はその他の行為と同時並行して生じることができるため、それらの方法は行為の順序によって限定されないことが理解及び評価されるべきである。例えば、方法は例えば状態図内におけるように一連の相互に関連する状態又はイベントとして代替で表すことが可能であることを当業者は理解及び評価するであろう。さらに、１つ以上の実施形態により方法を実装するためにすべての例示される行為を要求できるわけではない。
【００４５】
図４を参照し、拡張された手順中に基地局３０２によって用いられる方法４００が例示される。４０２において、通信リソースへのアクセスを要求中のユーザ装置（例えば、ＵＥ３０４）から基地局３０２によってメッセージ１（ランダムアクセスプリアンブル）が受信される。４０４において、メッセージ１を受信した時点で、基地局は、メッセージ１を復号することによって、送信中のＵＥの能力及びリリースバージョン（例えば、Ｒｅｌ−８、Ｒｅｌ−９、Ｒｅｌ−１０、等）を決定することができる。一態様においては、基地局は、ＲＡＣＨシーケンスをＲｅｌ−９及びそれ以降のＵＥに対して適用できるようにリリースバージョンに基づいてＲＡＣＨシーケンスの組を予約する。ＵＥ３０４は、メッセージ１内において１つ以上のＲＡＣＨシーケンスを提供することができる。この方法は、メッセージ１とともに受信された受信されたＲＡＣＨシーケンスを用いて、ＵＥのバージョン及び能力を決定することができる。４０６において、基地局は、第１の方式を用いてメッセージ２（ランダムアクセスシーケンス応答）を送信することができる。第１の方式は、システム情報ブロック（ＳＩＢ）、スルー（ｔｈｒｏｕｇｈ）物理ブロードキャストチャネル（ＰＢＣＨ）、プライマリ同期信号（ＰＳＳ）、セカンダリ同期信号（ＳＳＳ）、プライマリ基準信号（ＰＲＳ）、基準信号（ＲＳ）、等を用いて１つ以上のＲＡＣＨシーケンス及びそれらのシーケンスがどのように使用されるべきかを送信することを備える。他の例により、第１の方式は、ＵＥの所定のリリースによる利用のために予約されたＲＡＣＨシーケンスの組が存在するかどうかを示す指示（例えば、フラグ）を備える。この例により、フラグは、ＳＩＢ、ＰＢＣＨ、ＰＳＳ、ＳＳＳ、ＰＲＳ、ＲＳ、及び／又はそれらの組み合わせ内に存在することができる。他の例により、基地局は、メッセージ２のペイロード部を用いて及び／又はＲＡＣＨシーケンスのプリアンブル部を用いて、追加情報、例えば一時的ＲＮＴＩ又はアップリンク許可、を提供することができる。メッセージ２を送信するために用いられるリソース及び／又は変調及び符号化方式（ＭＣＳ）は、ＵＥ３０４に既に知られている情報（例えば、ランダムアクセス−ＲＮＴＩ、セルＩＤ、サブフレーム番号、システムフレーム番号及びＴｘアンテナ情報又はＵＥがダウンリンクチャネルを通じて取得しているあらゆるその他の情報）にリンクさせることができる。
【００４６】
４０８において、基地局３０２は、メッセージ３（スケジューリングされた送信）の有無をモニタリングする。基地局３０２は、ＵＥ３０４のＨＡＲＱ機構の一部として固定された数のメッセージ３をＵＥ３０４から受信することができる。基地局３０２がメッセージ３を成功裏に復号できる場合は、基地局は、繰り返されたメッセージ３を無視する。４１０において、基地局３０２は、第２の方式を用いて拡張された手順を完了させるためにメッセージ４（コンテンション解決メッセージ）を送信することができる。第２の方式は、制御チャネルを使用しないメッセージ４のペイロード部の送信を備える。メッセージ４のペイロード部は、制御部ではなくデータ部に割り当てられた周波数を用いて送信することができる。データ部は、データを送信するために割り当てられたチャネルの組を備え、制御部は、制御情報を送信するために割り当てられたチャネルの組を備える。ペイロード部の周波数内での位置は、一時的ＲＮＴＩ、サブフレーム番号、システムフレーム番号、ＵＥＩＤ、及び／又はその他の情報にリンクさせることができる。
【００４７】
図５を参照し、拡張された手順中にユーザ装置（ＵＥ）３０４によって用いられる方法５００が例示される。４０２において、メッセージ１（ランダムアクセスプリアンブル）が基地局３０２に送信される。ＵＥ３０４がＲｅｌ−９、Ｒｅｌ−１０、又はそれ以降のバージョンを有する場合は、そのリリースバージョンを基地局３０２に提供するために該当するＲＡＣＨシーケンスが用いられる。ＵＥ３０４は、基地局からのランダムアクセス応答の受信の有無をモニタリングするのを開始することができる。５０４において、ＵＥは、基地局からランダムアクセス応答を受信する。一例として、ＵＥは、情報を受信するために制御チャネルを復号する必要がない。一態様により、ＵＥは、幾つかの方法でランダムアクセス応答のペイロード部を導き出すことができる。一態様においては、ＵＥは、メッセージ２全体を復号する必要なしにメッセージ２のペイロードを復号することができる。ＵＥは、ＲＡＣＨシーケンスを導き出すためにＳＩＢ、ＰＢＣＨ、ＰＳＳ、ＳＳＳ、ＰＲＳ、ＲＳ、及び／又はそれらの組み合わせを復号することができる。ＲＡＣＨシーケンスのプリアンブル及びその他の既知の情報（例えば、ランダムアクセス−ＲＮＴＩ、セルＩＤ、サブフレーム番号、システムフレーム番号及びＴｘアンテナ情報、又はＵＥがダウンリンクチャネルを通じて取得しているあらゆるその他の情報）を用いて、ＵＥは、メッセージ２を復号する必要なしにメッセージ２ペイロード情報（例えば、一時的ＲＮＴＩ及びアップリンク許可）を導き出す。ＵＥは、ＵＥ３０４に既に知られている情報（例えば、ランダムアクセス−ＲＮＴＩ、セルＩＤ、サブフレーム番号、システムフレーム番号及びＴｘアンテナ情報又はＵＥがダウンリンクチャネルを通じて取得しているあらゆるその他の情報）にリンクされるメッセージ２を送信するために用いられるリソース及び／又は変調及び符号化方式（ＭＣＳ）を導き出すこともできる。リソースマッピングが一意でない場合は、ＵＥは、メッセージ２を搬送するＰＤＳＣＨのすべての可能な位置のブラインド復号を行うことができる。
【００４８】
５０８において、ＵＥは、メッセージ３（スケジューリングされた送信）を送信するために基地局３０２に幾つかの送信及び再送信を送信することができる。送信の数は、予め決定すること又は通信環境に基づいて動的に調整することができる。５１０において、方法は、制御情報を復号する必要なしにメッセージ４（コンテンション解決メッセージ）ペイロードを復号する。メッセージ４（コンテンション解決メッセージ）を復号するために、ＵＥは、一範囲の周波数内の予め定義された位置を復号することができ、その位置及び／又は用いられる変調及び符号化方式（ＭＣＳ）は、一時的ＲＮＴＩ、サブフレーム番号、システムフレーム番号、ＵＥＩＤ、及び／又はＵＥ３０４及び基地局に既に知られているその他の情報にリンクされる。一時的ＲＮＴＩ、サブフレーム番号、システムフレーム番号、ＵＥＩＤ、及び／又はその他の情報を用いて、ＵＥは、制御チャネルを復号する必要なしにメッセージ４を復号することができる。ＵＥは、メッセージ４を復号するためにデータ領域として割り当てられた一範囲の周波数のブラインド復号を行うこともできる。従って、ＵＥ３０４は、メッセージ４を復号するための制御情報の送信のために割り当てられた領域を復号する必要がない。
【００４９】
図６を参照し、ＵＥの異なるリリースが無線通信環境においてランダムアクセスプリアンブル（メッセージ１）を配送するためにランダムアクセスチャネル（ＲＡＣＨ）シーケンスの異なる部分組を用いるのを可能にすることを容易にする方法６００が例示される。６０２において、ＲＡＣＨシーケンスの組からのＲＡＣＨシーケンスの部分組を、ユーザ装置（ＵＥ）の所定のリリースによる利用のために予約することができる。従って、基地局は、Ｒｅｌ−９及びそれ以降のＵＥによる使用のためにＲＡＣＨシーケンスの部分組を予約することができる。しかしながら、ＲＡＣＨシーケンスの部分組は、Ｒｅｌ−８ＵＥ、Ｒｅｌ−１０及びそれ以降のＵＥによる使用、等のために代替で予約可能であることも企図される。６０４において、ＵＥの所定のリリースによる利用のために予約されたＲＡＣＨシーケンスの部分組に関する情報を搬送することができる。例えば、ＲＡＣＨシーケンスの予約された部分組及びそれに関連する使用法に関する情報は、システム情報ブロックを通じて基地局によって搬送することができる。さらに加えて又は代替で、基地局は、物理ブロードキャストチャネル（ＰＢＣＨ）を通じて上記の情報を搬送することができる。例えば、ＰＢＣＨと関連付けられたペイロードの一部分を、ＲＡＣＨシーケンスの一定の部分組（例えば、予約された部分組、等）がＲｅｌ−９及びそれ以降のＵＥ用であることを示すために用いることができる。他の例として、上記の情報は、１つ以上の物理信号、例えばプライマリ同期信号（ＰＳＳ）、セカンダリ同期信号（ＳＳＳ）、プライマリ基準信号（ＰＲＳ）、基準信号（ＲＳ）、等、を通じて基地局によって搬送することができる。他の例により、基地局は、ＵＥの所定のリリースによる利用のために予約されたＲＡＣＨシーケンスの部分組が存在するかどうかを示すためのフラグをシグナリングすることができる。この例により、フラグは、システム情報ブロック（ＳＩＢ）、ＰＢＣＨ、ＰＳＳ、ＳＳＳ、ＰＲＳ、ＲＳ、及び／又はそれらの組み合わせ内に存在することができる。６０６において、ＵＥから受信されたランダムアクセスプリアンブルから特定のＲＡＣＨシーケンスを検出することができる。特定のＲＡＣＨシーケンスは、ランダムアクセスプリアンブル（メッセージ１）を復号することによって検出することができる。６０８において、ＵＥが所定のリリースと関連付けられているかどうかの認識は、検出された特定のＲＡＣＨシーケンスの関数として行うことができる。従って、基地局は、検出された特定のＲＡＣＨシーケンスに基づいてＵＥがＲｅｌ−８又はＲｅｌ−９及びそれ以降のＵＥであることを知ることができる。このように、Ｒｅｌ−８ＵＥをＲｅｌ−９及びそれ以降のＵＥと区別するのを可能にするためにＵＥ能力情報を配送することができ、それは、Ｒｅｌ−９及びそれ以降のＵＥは拡張された手順を適用する基地局をサポートすることができ、他方、Ｒｅｌ−８ＵＥのためにＲｅｌ−８ＲＡＣＨ手順を基地局によって適用可能であるため、有益であることができる。
【００５０】
図７を参照し、無線通信環境において基地局にＵＥ能力情報を配送することを容易にする方法７００が例示される。７０２において、ユーザ装置（ＵＥ）の所定のリリースによる利用のためにＲＡＣＨシーケンスの組からのＲＡＣＨシーケンスの予約された部分組に関する情報を受信することができる。例えば、ＲＡＣＨシーケンスの部分組は、Ｒｅｌ−９及びそれ以降のＵＥによる使用のために予約することができる。しかしながら、請求される主題はそのようには限定されない。さらに、情報は、システム情報ブロック、ＰＢＣＨ、及び／又は物理信号（例えば、ＰＳＳ、ＳＳＳ、ＰＲＳ、ＲＳ、等）を通じて受信することができる。さらに、ＲＡＣＨシーケンスの予約された部分組が存在するかどうかを示すフラグを入手することができ、そのフラグは、ＳＩＢ、ＰＢＣＨ、ＰＳＳ、ＳＳＳ、ＰＲＳ、ＲＳ、又はそれらの組み合わせ内に存在することができる。７０４において、ＲＡＣＨシーケンスの予約された部分組に関する受信された情報に基づいてＵＥと関連付けられたリリースの関数として組からの特定のＲＡＣＨシーケンスを選択することができる。例えば、Ｒｅｌ−９ＵＥは、ＲＡＣＨシーケンスの予約された部分組から予約されたＲＡＣＨシーケンスを選択することができ、他方、Ｒｅｌ−８ＵＥは、ＲＡＣＨシーケンスの予約された部分組に含まれていない予約されていないＲＡＣＨシーケンスを選択することができる。他の例により、Ｒｅｌ−９ＵＥは、該ＵＥはＲｅｌ−８ＲＡＣＨ手順を依然として使用することを基地局に示すために予約された部分組からのＲＡＣＨシーケンスを使用しないことを選択することができる。７０６において、特定のＲＡＣＨシーケンスは、ランダムアクセスプリアンブルの一部として基地局に送信することができる。
【００５１】
図８を参照し、無線通信環境においてランダムアクセス応答（メッセージ２）を用いずに一時的な無線ネットワーク一時識別子（ＲＮＴＩ）及び／又は許可をＵＥに配送することを容易にする方法８００が例示される。８０２において、ランダムアクセスプリアンブルを基地局に送信することができる。ランダムアクセスプリアンブル（メッセージ１）に応答して、ランダムアクセス応答を基地局から入手する必要がない（例えば、基地局は、ランダムアクセス応答を送信しないこと及び／又はランダムアクセス応答を通じてＵＥに一時的ＲＮＴＩを送信しないことを選択することができる）。８０４において、一時的な無線ネットワーク一時識別子（ＲＮＴＩ）値、リソース、又は変調及び符号化方式（ＭＣＳ）のうちの少なくとも１つを１つ以上のパラメータに基づいて導き出すことができる。一時的ＲＮＴＩ値は、プリアンブルシーケンス、ランダムアクセスＲＮＴＩ（ＲＡ−ＲＮＴＩ）、セルＩＤ、サブフレーム番号、システムフレーム番号、送信（Ｔｘ）アンテナ情報、又はＵＥがダウンリンクチャネルを通じて取得しているあらゆるその他の情報にリンクさせることができる。従って、ＵＥは、上記のパラメータのうちの１つ以上を用いて一時的ＲＮＴＩ値を導き出すことができる。同様に、スケジューリングされた送信（メッセージ３）のために用いられるリソース及び／又はＭＣＳ又は従来のランダムアクセス応答（メッセージ２）で典型的に搬送されるその他の情報は、上記のパラメータのうちの１つ以上を用いて導き出すことができる。マッピング関数は、一時的ＲＮＴＩ値のためのマッピングと比較してリソース、ＭＣＳ、又はその他の情報に関して同じ又は異なることができることが企図される。８０６において、導き出されたリソース又は導き出されたＭＣＳのうちの１つ以上を用いてスケジューリングされた送信（メッセージ３）を基地局に送信することができる。
【００５２】
図９を参照し、無線通信環境において制御チャネルを復号することなしにランダムアクセス応答（メッセージ２）を搬送したデータチャネルを復号することを容易にする方法９００が例示される。９０２において、ランダムアクセスプリアンブルを基地局に送信することができる。９０４において、リソース又は変調及び符号化方式（ＭＣＳ）のうちの少なくとも１つを１つ以上のパラメータに基づいて導き出すことができる。リソース及び／又はＭＣＳは、ランダムアクセス応答（メッセージ２）を送信するために基地局によって用いることができる。さらに、１つ以上のパラメータは、プリアンブルシーケンス、ＲＡ−ＲＮＴＩ、セルＩＤ、システムサブフレーム番号、Ｔｘアンテナ情報、又はＵＥがダウンリンクチャネルを通じて取得しているあらゆるその他の情報を含むことができる。さらに、１つ以上のパラメータは、基地局によって用いられるリソース及び／又はＭＣＳにリンクさせることができる。従って、ＵＥは、制御チャネルを復号することなしにマッピング関数を通じてデータチャネル（例えば、物理ダウンリンク共有チャネル（ＰＤＳＣＨ）、等）を復号するために用いられるリソース及び／又はＭＣＳ（又はその他の情報）を導き出すことができる。９０６において、リソース又はＭＣＳのうちの少なくとも１つを用いてランダムアクセス応答（メッセージ２）を搬送するデータチャネルを復号することができる。データチャネルは、例えば、ＰＤＳＣＨであることができる。さらに、リソースマッピングが一意でない場合は、ＵＥは、メッセージ２を搬送するＰＤＳＣＨの可能な位置のブラインド復号を行うことができる。
【００５３】
図１０を参照し、無線通信環境においてダウンリンク確認応答チャネルを復号することなしにスケジューリングされた送信（メッセージ３）を送信することを容易にする方法１００が例示される。１００２において、スケジューリングされた送信のための送信（又は再送信）回数をシステム情報を介して特定することができる。従って、送信又は再送信の回数は、システム情報で配送することができる。１００４において、基地局へのスケジューリングされた送信は、ＰＨＩＣＨを復号することなしに送信回数だけ送信することができる。むしろ、メッセージ３を送信するときには基地局への固定された量の送信又は再送信を送信することができる。
【００５４】
図１１を参照し、無線通信環境において制御チャネルを復号することなしにコンテンション解決メッセージ（メッセージ４）を復号することを容易にする方法１１００が例示される。１１０２において、スケジューリングされた送信を基地局に送信することができる。１１０４において、ユーザ装置（ＵＥ）によって保持される情報に基づいて予め定義された位置又は変調及び符号化方式（ＭＣＳ）のうちの少なくとも１つを決定することができる。予め定義された位置及び／又はＭＣＳは、一時的ＲＮＴＩ、サブフレーム番号、システムフレーム番号、及び／又はＵＥＩＤ（又は、該段階でＵＥ及び基地局に知られているその他の情報）にリンクさせることができる。さらに、予め定義された位置は、一意である必要がなく、例えば、ＵＥは、異なる位置及び／又は異なるＭＣＳにおいてブラインド復号を行うことができる。１１０６において、コンテンション解決メッセージ（メッセージ４）を搬送するデータチャネルの復号は、制御チャネルを復号することなしにスケジューリングされた送信を送信後に予め定義された位置で開始させることができる。
【００５５】
ここにおいて説明される態様は、ハードウェア、ソフトウェア、ファームウェア又はそれらの組み合わせによって実装できることが理解されるべきである。ソフトウェアに実装される場合は、機能は、コンピュータによって読み取り可能な媒体に１つ以上の命令又は符号として格納すること又は１つ以上の命令又は符号として送信することができる。コンピュータによって読み取り可能な媒体は、コンピュータ記憶媒体と、１つの位置から他へのコンピュータプログラムの転送を容易にするあらゆる媒体を含む通信媒体と、の両方を含む。記憶媒体は、汎用コンピュータ又は専用コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は命令又はデータ構造の形態で希望されるプログラムコード手段を搬送又は格納するために用いることができ及び汎用コンピュータ又は専用コンピュータ、又は汎用プロセッサ又は専用プロセッサによってアクセス可能なあらゆるその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピーディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組合せも、コンピュータによって読み取り可能な媒体の適用範囲に含められるべきである。
【００５６】
ここにおいて開示される態様と関係させて説明される様々な例示的な論理、論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、そのプロセッサは従来のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の該構成、として実装することも可能である。さらに、少なくとも１つのプロセッサは、上述されるステップ及び／又は動作のうちの１つ以上を実行するために動作可能な１つ以上のモジュールを備えることができる。
【００５７】
ソフトウェア実装の場合は、ここにおいて説明される技法は、ここにおいて説明される機能を果たすモジュール（例えば、手順、関数、等）を用いて実装することができる。ソフトウェアコードは、メモリユニットに格納すること及びプロセッサによって実行することができる。メモリユニットは、プロセッサ内に又はプロセッサの外部に実装することができ、その場合は、それは、当業において知られる様々な手段を通じて通信可能な形でプロセッサに結合させることができる。さらに、少なくとも１つのプロセッサは、ここにおいて説明される機能を果たすために動作可能な１つ以上のモジュールを含むことができる。
【００５８】
ここにおいて説明される技法は、様々な無線通信システム、例えばＣＤＭＡ、ＴＤＭＡ、ＦＤＭＡ、ＯＦＤＭＡ、ＳＣ−ＦＤＭＡ及びその他のシステム、のために用いることができる。用語“システム”及び“ネットワーク”は、互換可能な形でしばしば用いられる。ＣＤＭＡシステムは、ユニバーサル地上無線アクセス（ＵＴＲＡ）、ＣＤＭＡ２０００、等の無線技術を実装することができる。ＵＴＲＡは、広帯域−ＣＤＭＡ（Ｗ−ＣＤＭＡ）と、ＣＤＭＡのその他の変形と、を含む。さらに、ＣＤＭＡ２０００は、ＩＳ−２０００規格、ＩＳ−９５規格及びＩＳ−８５６規格を網羅する。ＴＤＭＡシステムは、グローバル移動体通信システム（ＧＳＭ（登録商標））、等の無線技術を実装することができる。ＯＦＤＭＡシステムは、エボルブド（Evolved）ＵＴＲＡ（Ｅ−ＵＴＲＡ）、ウルトラモバイルブロードバンド（Ultra Mobile Broadband）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、等の無線技術を実装することができる。ＵＴＲＡ及びＥ−ＵＴＲＡは、ユニバーサル移動体通信システム（ＵＭＴＳ）の一部である。３ＧＰＰロングタームエボリューション（ＬＴＥ）は、ダウンリンクではＯＦＤＭＡ及びアップリンクではＳＣ−ＦＤＭＡを採用する、Ｅ−ＵＴＲＡを使用するＵＭＴＳのリリース版である。ＵＴＲＡ、Ｅ−ＵＴＲＡ、ＵＭＴＳ、ＬＴＥ及びＧＳＭは、“第３世代パートナーシッププロジェクト”（３ＧＰＰ）という名称の組織からの文書において記述される。さらに、ＣＤＭＡ２０００及びＵＭＢは、“第３世代パートナーシッププロジェクト２”（３ＧＰＰ２）という名称の組織からの文書において記述される。さらに、該無線通信システムは、対でない免許不要のスペクトル、８０２．ｘｘ無線ＬＡＮ、ＢＬＵＥＴＯＯＴＨ(登録商標)及びその他の短距離又は長距離の無線通信技法をしばしば用いるピア・ツー・ピア（例えばモバイル対モバイル）アドホックネットワークシステムをさらに含むことができる。
【００５９】
さらに、ここにおいて説明される様々な態様又は特徴は、標準的なプログラミング及び／又はエンジニアリング技法を用いて方法、装置、又は製造品として実装することができる。ここにおいて用いられる場合における用語“製造品”は、コンピュータによって読み取り可能なデバイス、キャリア、又は媒体からアクセス可能なコンピュータプログラムを包含することが意図される。例えば、コンピュータによって読み取り可能な媒体は、磁気記憶装置（例えば、ハードディスク、フロッピーディスク、磁気ストリップ、等）、光ディスク（例えば、コンパクトディスク（ＣＤ）、デジタルバーサタイルディスク（ＤＶＤ）、等）、スマートカード、及びフラッシュメモリデバイス（例えば、ＥＰＲＯＭ、カード、スティック、キードライブ、等）を含むことができ、ただし、磁気記憶装置（例えば、ハードディスク、フロッピーディスク、磁気ストリップ、等）、光ディスク（例えば、コンパクトディスク（ＣＤ）、デジタルバーサタイルディスク（ＤＶＤ）、等）、スマートカード、及びフラッシュメモリデバイス（例えば、ＥＰＲＯＭ、カード、スティック、キードライブ、等）に限定されない。さらに、ここにおいて説明される様々な記憶媒体は、情報を格納するための１つ以上のデバイス及び／又はその他の機械によって読み取り可能な媒体を代表することができる。用語“機械によって読み取り可能な媒体”は、限定されることなしに、無線チャネルと、命令及び／又はデータを格納、含有、及び／又は搬送することが可能な様々なその他の媒体と、を含むことができる。さらに、コンピュータプログラム製品は、ここにおいて説明される機能を実行することをコンピュータに行わせるために動作可能な１つ以上の命令又は符号を有するコンピュータによって読み取り可能な媒体を含むことができる。
【００６０】
さらに、ここにおいて開示される態様と関係させて説明される方法又はアルゴリズムのステップ及び／又は動作は、直接ハードウェア内において、プロセッサによって実行されるソフトウェアモジュール内において、又はこれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において知られるその他のあらゆる形態の記憶媒体に常駐することができる。典型的な記憶媒体は、プロセッサに結合することができ、このため、プロセッサは、記憶媒体から情報を読み出すこと及び記憶媒体に情報を書き込むことができる。代替においては、記憶媒体は、プロセッサと一体化させることができる。さらに、幾つかの態様においては、プロセッサ及び記憶媒体は、ＡＳＩＣ内に常駐することができる。さらに、ＡＳＩＣは、ユーザ端末内に常駐することができる。代替においては、プロセッサ及び記憶媒体は、ユーザ端末内において別個のコンポーネントとして常駐することができる。さらに、幾つかの態様においては、方法又はアルゴリズムのステップ及び／又は動作は、コンピュータプログラム製品内に組み入れることが可能な機械によって読み取り可能な媒体及び／又はコンピュータによって読み取り可能な媒体上において符号及び／又は命令の１つの又はあらゆる組み合わせとして又は符号及び／又は命令の１つの又はあらゆる組として常駐可能である。
【００６１】
上記の開示は、例示的な態様及び／又は態様について説明する一方で、添付された請求項によって定義される説明される態様及び／又は態様の適用範囲を逸脱することなしに様々な変更及び修正をここにおいて行うことが可能であることが注目されるべきである。従って、説明される態様は、添付された請求項の適用範囲内にあるすべての該変更、修正及び変形を包含することが意図される。さらに、説明される態様及び／又は態様の要素は、単数形で説明又は請求されることがあるが、単数形への限定が明示されない限り複数形が企図される。さらに、いずれの態様及び／又は態様も、別の記述がない限り、その全体又は一部を、その他のあらゆる態様及び／又は態様の全体又は一部とともに利用することが可能である。
【００６２】
表現“含む”が詳細な発明を実施するための形態又は請求項のいずれかにおいて用いられる限りにおいて、該表現は、“備える”という表現が請求項において移行語として採用されたときの解釈と同様の包含性を有することが意図される。さらに、詳細な発明を実施するための形態又は請求項のいずれかにおいて用いられる場合の語句“又は”は、排他的 “又は”ではなく包含的“又は”を意味することが意図される。すなわち、その他の規定がない限り、又は文脈から明らかでない限り、句“Ｘは、Ａ又はＢを採用する”は、自然の包含的置換のうちのいずれかを意味することが意図される。すなわち、句“Ｘは、Ａ又はＢを採用する”は、次の事例、すなわち、ＸはＡを採用する、ＸはＢを採用する、又はＸはＡ及びＢの両方を採用する、のいずれによっても満たされる。さらに、この出願及び添付される請求項において用いられる場合における冠詞“ａ（１つの）”又は“ａｎ（１つの）”は、その他の規定がない限り又は単数形であることが示されることが文脈から明らかでない限り、“１つ以上”を意味すると概して解釈されるべきである。
なお、本願の出願当初の請求項と同一の記載を以下に付記する。
［Ｃ１］ 無線通信システムにおいて動作可能な装置であって、
ランダムアクセスプリアンブルを送信するための手段であって、前記ランダムアクセスプリアンブルは、ユーザ装置のリリースバージョン情報を備える手段と、
ランダムアクセス応答のペイロード部を導き出すための手段と、
コンテンション解決メッセージを受信するための手段と、を備える、装置。
［Ｃ２］ 前記ランダムアクセスプリアンブルを送信するための前記手段は、ユーザ装置のリリースバージョンと関連付けられた１つ以上のランダムアクセスチャネル（ＲＡＣＨ）シーケンスを送信するための手段を備えるＣ１に記載の装置。
［Ｃ３］ 前記ランダムアクセスプリアンブルを送信するための前記手段は、ユーザ装置の全能力を示すための手段を備えるＣ１に記載の装置。
［Ｃ４］ 前記ランダムアクセス応答のペイロード部を導き出すための前記手段は、ＲＡＣＨシーケンスを用いるための手段を備えるＣ１に記載の装置。
［Ｃ５］ 前記ランダムアクセス応答のペイロード部を導き出すための前記手段は、前記ＲＡＣＨシーケンスのプリアンブルを用いるための手段を備えるＣ４に記載の装置。
［Ｃ６］ 前記ランダムアクセス応答のペイロード部を導き出すための前記手段は、ＲＡＣＨシーケンスのプリアンブルを用いて一時的ＲＮＴＩを復号するための手段を備えるＣ１に記載の装置。
［Ｃ７］ 前記ランダムアクセス応答のペイロード部を導き出すための前記手段は、ブラインド復号方式を用いるための手段を備えるＣ1に記載の装置。
［Ｃ８］ コンテンション解決メッセージを受信するための前記手段は、データの送信のために用いられる周波数部分を復号するための手段を備えるＣ１に記載の装置。
［Ｃ９］ 一時的な無線ネットワーク一時識別子を用いて前記コンテンション解決メッセージのペイロード部を復号するための手段をさらに備えるＣ１に記載の装置。
［Ｃ１０］ 少なくともサブフレーム番号、システムフレーム番号、ユーザ装置識別、又は一時的な無線ネットワーク一時識別子（一時的ＲＮＴＩ）を用いて前記コンテンション解決メッセージのペイロード部を復号するための手段をさらに備えるＣ１に記載の装置。
［Ｃ１１］ ブラインド復号方式を用いて前記コンテンション解決メッセージのペイロード部を導き出すための手段をさらに備えるＣ１に記載の装置。
［Ｃ１２］ 送信エンティティによって前記ランダムアクセス応答のために用いられる変調及び符号化方式（ＭＳＣ）を導き出すための手段をさらに備えるＣ１に記載の装置。
［Ｃ１３］ 前記ＭＣＳを導き出すための前記手段は、少なくともサブフレーム番号、システムフレーム番号、ユーザ装置識別、又は一時的な無線ネットワーク一時識別子（一時的ＲＮＴＩ）を用いるための手段を備えるＣ１２に記載の装置。
［Ｃ１４］ ランダムアクセス応答を受信するための手段をさらに備えるＣ１に記載の装置。
［Ｃ１５］ ランダムアクセスチャネル（ＲＡＣＨ）シーケンスを導き出すための手段をさらに備えるＣ１に記載の装置。
［Ｃ１６］ １つ以上のスケジューリングされた送信を送信するための手段をさらに備えるＣ１に記載の装置。
［Ｃ１７］ 無線通信システムにおいて動作可能な装置であって、
ランダムアクセスプリアンブルを受信するための手段と、
前記ランダムアクセスプリアンブルを送信しているユーザ装置のリリースバージョンを決定するための手段と、
ランダムアクセス応答を生成するために前記ランダムアクセスプリアンブルを送信しているユーザ装置のリリースバージョンに基づいてランダムアクセスチャネル（ＲＡＣＨ）シーケンスの組から１つ以上のＲＡＣＨシーケンスを選択するための手段と、
第１の方式を用いて前記ランダムアクセス応答を送信するための手段と、を備える、装置。
［Ｃ１８］ 前記ランダムアクセスプリアンブルを送信しているユーザ装置の能力を決定するための手段をさらに備えるＣ１７に記載の装置。
［Ｃ１９］ 前記ランダムアクセス応答を送信するための前記手段は、前記ランダムアクセス応答が前記ランダムアクセスプリアンブルを送信しているユーザ装置の前記リリースバージョンと関連付けられた少なくとも１つのＲＡＣＨシーケンスを含むかどうかを示すための指示を送信するための手段を備えるＣ１７に記載の装置。
［Ｃ２０］ 前記第１の方式を用いるための前記手段は、前記指示を送信するためにシステム情報ブロック（ＳＩＢ）、スルー物理ブロードキャストチャネル（ＰＢＣＨ）、プライマリ同期信号（ＰＳＳ）、セカンダリ同期信号（ＳＳＳ）、プライマリ基準信号（ＰＲＳ）又は基準信号（ＲＳ）のうちの少なくとも１つを用いるための手段を備えるＣ１９に記載の装置。
［Ｃ２１］ 前記ランダムアクセス応答を送信するための前記手段は、前記ランダムアクセス応答の一部として、前記ランダムアクセスプリアンブルを送信しているユーザ装置のリリースバージョンと関連付けられたＲＡＣＨシーケンスを含めるための手段を備えるＣ１７に記載の装置。
［Ｃ２２］ 前記第１の方式を用いるための前記手段は、前記ＲＡＣＨシーケンスを送信するためにシステム情報ブロック（ＳＩＢ）、スルー物理ブロードキャストチャネル（ＰＢＣＨ）、プライマリ同期信号（ＰＳＳ）、セカンダリ同期信号（ＳＳＳ）、プライマリ基準信号（ＰＲＳ）又は基準信号（ＲＳ）のうちの少なくとも１つを用いるための手段を備えるＣ２１に記載の装置。
［Ｃ２３］ １つ以上のスケジューリングされた送信を受信及び復号し、前記受信されたスケジューリングされた送信のうちの少なくとも１つの成功裏の復号後に受信されたあらゆるスケジューリングされた送信を無視するための手段をさらに備えるＣ１７に記載の装置。
［Ｃ２４］ 第２の方式を用いてコンテンション解決メッセージを送信するための手段をさらに備えるＣ１７に記載の装置。
［Ｃ２５］ 前記第２の方式を用いるための前記手段は、データを送信することに割り当てられた周波数部分を用いるための手段を備えるＣ２４に記載の装置。
［Ｃ２６］ 第２の方式を用いるための前記手段は、少なくともサブフレーム番号、システムフレーム番号、ユーザ装置識別、又は一時的な無線ネットワーク一時識別子（一時的ＲＮＴＩ）に前記周波数位置をリンクさせるための手段を備えるＣ２４に記載の装置。
［Ｃ２７］ 無線通信システムのための方法であって、
ランダムアクセスプリアンブルを送信することであって、前記ランダムアクセスプリアンブルは、ユーザ装置のリリースバージョン情報を備えることと、
ランダムアクセス応答のペイロード部を導き出すことと、
コンテンション解決メッセージを受信することと、を備える、方法。
［Ｃ２８］ 前記ランダムアクセスプリアンブルを送信することは、ユーザ装置のリリースバージョンと関連付けられた１つ以上のランダムアクセスチャネル（ＲＡＣＨ）シーケンスを送信することを備えるＣ２７に記載の方法。
［Ｃ２９］ 前記ランダムアクセスプリアンブルを送信することは、ユーザ装置の全能力を示すことを備えるＣ２７に記載の方法。
［Ｃ３０］ 前記ランダムアクセス応答のペイロード部を導き出すことは、ＲＡＣＨシーケンスを用いることを備えるＣ２７に記載の方法。
［Ｃ３１］ 前記ランダムアクセス応答のペイロード部を導き出すことは、前記ＲＡＣＨシーケンスのプリアンブルを用いることを備えるＣ３０に記載の方法。
［Ｃ３２］ 前記ランダムアクセス応答のペイロード部を導き出すことは、ＲＡＣＨシーケンスのプリアンブルを用いて一時的ＲＮＴＩを復号することを備えるＣ２７に記載の方法。
［Ｃ３３］ 前記ランダムアクセス応答のペイロード部を導き出すことは、ブラインド復号方式を用いることを備えるＣ２７に記載の方法。
［Ｃ３４］ 前記コンテンション解決メッセージを受信することは、データの送信のために用いられる周波数部分を復号することを備えるＣ２７に記載の方法。
［Ｃ３５］ 一時的な無線ネットワーク一時識別子を用いて前記コンテンション解決メッセージのペイロード部を復号することをさらに備えるＣ２７に記載の方法。
［Ｃ３６］ 少なくともサブフレーム番号、システムフレーム番号、ユーザ装置識別、又は一時的な無線ネットワーク一時識別子（一時的ＲＮＴＩ）を用いて前記コンテンション解決メッセージのペイロード部を復号することをさらに備えるＣ２７に記載の方法。
［Ｃ３７］ ブラインド復号方式を用いて前記コンテンション解決メッセージのペイロード部を導き出すことをさらに備えるＣ２７に記載の方法。
［Ｃ３８］ 送信エンティティによって前記ランダムアクセス応答のために用いられる変調及び符号化方式（ＭＳＣ）を導き出すことをさらに備えるＣ２７に記載の方法。
［Ｃ３９］ 前記ＭＣＳを導き出すことは、少なくともサブフレーム番号、システムフレーム番号、ユーザ装置識別、又は一時的な無線ネットワーク一時識別子（一時的ＲＮＴＩ）を用いることを備えるＣ３８に記載の方法。
［Ｃ４０］ ランダムアクセス応答を受信することをさらに備えるＣ２７に記載の方法。
［Ｃ４１］ ランダムアクセスチャネル（ＲＡＣＨ）シーケンスを導き出すことをさらに備えるＣ２７に記載の方法。
［Ｃ４２］ １つ以上のスケジューリングされた送信を送信することをさらに備えるＣ２７に記載の方法。
［Ｃ４３］ 無線通信システムのための方法であって、
ランダムアクセスプリアンブルを受信することと、
前記ランダムアクセスプリアンブルを送信しているユーザ装置のリリースバージョンを決定することと、
ランダムアクセス応答を生成するために前記ランダムアクセスプリアンブルを送信しているユーザ装置の前記リリースバージョンに基づいてランダムアクセスチャネル（ＲＡＣＨ）シーケンスの組から１つ以上のＲＡＣＨシーケンスを選択することと、
第１の方式を用いて前記ランダムアクセス応答を送信することと、を備える、方法。
［Ｃ４４］ ユーザ装置の能力を決定することをさらに備えることは、前記ランダムアクセスプリアンブルを送信するための手段を備えるＣ１７に記載の方法。
［Ｃ４５］ 前記ランダムアクセス応答を送信することは、前記ランダムアクセス応答が前記ランダムアクセスプリアンブルを送信しているユーザ装置の前記リリースバージョンと関連付けられた前記ＲＡＣＨシーケンスを含むかどうかを示すための指示を送信することを備えるＣ１７に記載の方法。
［Ｃ４６］ 前記第１の方式を用いることは、前記指示を送信するためにシステム情報ブロック（ＳＩＢ）、スルー物理ブロードキャストチャネル（ＰＢＣＨ）、プライマリ同期信号（ＰＳＳ）、セカンダリ同期信号（ＳＳＳ）、プライマリ基準信号（ＰＲＳ）又は基準信号（ＲＳ）のうちの少なくとも１つを用いることを備えるＣ１９に記載の方法。
［Ｃ４７］ 前記ランダムアクセス応答を送信することは、前記ランダムアクセス応答の一部として、前記ランダムアクセスプリアンブルを送信しているユーザ装置の前記リリースバージョンと関連付けられた前記ＲＡＣＨシーケンスを含むことを備えるＣ１７に記載の方法。
［Ｃ４８］ 前記第１の方式を用いることは、前記ＲＡＣＨシーケンスを送信するためにシステム情報ブロック（ＳＩＢ）、スルー物理ブロードキャストチャネル（ＰＢＣＨ）、プライマリ同期信号（ＰＳＳ）、セカンダリ同期信号（ＳＳＳ）、プライマリ基準信号（ＰＲＳ）又は基準信号（ＲＳ）のうちの少なくとも１つを用いることを備えるＣ２１に記載の方法。
［Ｃ４９］ １つ以上のスケジューリングされた送信を受信及び復号し、前記受信されたスケジューリングされた情報のうちの少なくとも１つの成功裏の復号後に受信されたあらゆるスケジューリングされた送信を無視することをさらに備えるＣ１７に記載の方法。
［Ｃ５０］ 第２の方式を用いてコンテンション解決メッセージを送信することをさらに備えるＣ１７に記載の方法。
［Ｃ５１］ 第２の方式を用いることは、データを送信することに割り当てられた周波数部分を用いることを備えるＣ２４に記載の方法。
［Ｃ５２］ 第２の方式を用いることは、少なくともサブフレーム番号、システムフレーム番号、ユーザ装置識別、又は一時的な無線ネットワーク一時識別子（一時的ＲＮＴＩ）に前記周波数位置をリンクさせることを備えるＣ２４に記載の方法。
［Ｃ５３］ ランダムアクセスプリアンブルを送信するための符号であって、前記ランダムアクセスプリアンブルは、ユーザ装置のリリースバージョン情報を備える符号と、
ランダムアクセス応答のペイロード部を導き出すための符号と、
コンテンション解決メッセージを受信するための符号と、を備えるコンピュータによって読み取り可能な媒体、を備える、コンピュータプログラム製品。
［Ｃ５４］ ランダムアクセスプリアンブルを受信するための符号と、
前記ランダムアクセスプリアンブルを送信しているユーザ装置のリリースバージョンを決定するための符号と、
ランダムアクセス応答を生成するために前記ランダムアクセスプリアンブルを送信しているユーザ装置の前記リリースバージョンに基づいてランダムアクセスチャネル（ＲＡＣＨ）シーケンスの組から１つ以上のＲＡＣＨシーケンスを選択するための符号と、
第１の方式を用いて前記ランダムアクセス応答を送信するための符号と、を備えるコンピュータによって読み取り可能な媒体、を備える、コンピュータプログラム製品。
［Ｃ５５］ ランダムアクセスプリアンブルを送信し、
ランダムアクセス応答のペイロード部を導き出し、及び
コンテンション解決メッセージを受信するように構成されたプロセッサであって、前記ランダムアクセスプリアンブルは、ユーザ装置のリリースバージョン情報を備えるプロセッサ、を備える、無線通信装置。
［Ｃ５６］ ランダムアクセスプリアンブルを受信し、
前記ランダムアクセスプリアンブルを送信しているユーザ装置のリリースバージョンを決定し、
ランダムアクセス応答を生成するために前記ランダムアクセスプリアンブルを送信しているユーザ装置の前記リリースバージョンに基づいてランダムアクセスチャネル（ＲＡＣＨ）シーケンスの組から１つ以上のＲＡＣＨシーケンスを選択し、及び
第１の方式を用いて前記ランダムアクセス応答を送信するように構成されたプロセッサ、を備える、無線通信装置。
【図１】
0005373196.tif 000002
【図２】
0005373196.tif 000003
【図３】
0005373196.tif 000004
【図４】
0005373196.tif 000005
【図５】
0005373196.tif 000006
【図６】
0005373196.tif 000007
【図７】
0005373196.tif 000008
【図８】
0005373196.tif 000009
【図９】
0005373196.tif 000010
【図１０】
0005373196.tif 000011
【図１１】
0005373196.tif 000012